(57)【要約】【課題】  室内から屋外に配管されたドレン排出用排水管の下端部に接続して臭気が外気と共に排水管を通じて室内側に侵入するのを確実に防止できる排水弁を提供する。【解決手段】  弁室２を中央にして上端に排水管に接続するドレン流入口３を有し、下端にドレン流出口４を有する本体１における上記弁室２内に上流側開閉弁10と下流側開閉弁20とを配設してあり、これらの上下開閉弁10、20に設けている筒状の通水口13、23の下端開口縁に前端から後端に向かって斜め下方に緩傾斜した弁座14、24を形成して通水口13、23の前端側に上下回動自在に枢着した板状の弁体17、27をそれぞれ開閉自在に着座させ、ドレン排出時に弁体17、27が開放しても臭気が外気と共に上方の排水管側に侵入するのをこれらの上下開閉弁10、20によって防止している。【選択図】    図１
2014105500.tif 000002
【特許請求の範囲】
【請求項１】
弁室を中央にして上下端部に該弁室に連通した流入口と流出口をそれぞれ設けてなる本体における上記弁室の前部に、開口端を着脱自在な蓋体によって閉止された縦長長方形の枠状開口部を設けていると共に、この枠状開口部を有する上記弁室の上端部と中間部とにおける両側内壁面に上側弁配設用溝と下側弁配設用溝とをそれぞれ設けて上側の弁配設用溝に上流側開閉弁を、下側の弁配設用溝に下流側開閉弁を取付けてあり、これらの上流側開閉弁と下流側開閉弁は、両側端部を上記弁配設用溝に挿脱自在に支持され、且つ、上記流入、流出口に連通する通水孔を有する仕切板部と、この仕切板部の上記通水孔の下面外周縁に上端を連設し、且つ、下端開口縁を上記枠状開口部側から弁室の後部に向かうに従って30度以下の緩やかな角度でもって下方に傾斜した弁座に形成している短筒状の通水口と、前端部を上記仕切板部の前部下面に上下回動自在に支持され、且つ、前端部から前方に突出した部分に設けている錘によって上方に付勢されて上記通水口の弁座に着座している板状の弁体とからなることを特徴とする排水弁。
【請求項２】
上流側開閉弁と下流側開閉弁とにおける仕切板部の前端部下面両側部に、対向面に前端から後端に向かって斜め下方に傾斜し、且つ、前端が前方に開口していると共に後端が閉止している傾斜溝部を設けた一対の軸受片を突設している一方、弁体の前端に両側端部を上記一対の軸受片の対向する傾斜溝部に前端開口部から挿嵌させて傾斜溝部の後端部に係止させてなる軸体部を設けていることを特徴とする請求項１に記載の排水弁。
【請求項３】
弁体の前端に設けた軸体部の中心に貫通孔を設けている一方、両側軸受片の傾斜溝部の後端に該傾斜溝部から軸受片の外側面に貫通した係止孔を設けてあり、この両側係止孔に上記軸体部の貫通孔に挿脱自在に挿入した小径軸の両側端部を係合させていることを特徴とする請求項２に記載の排水弁。
【請求項４】
上流側開閉弁と下流側開閉弁との仕切板部に設けた通水孔の上端外周縁部に一定高さの周壁部を全周に亘って突設していることを特徴とする請求項１に記載の排水弁。
【請求項５】
弁室の枠状開口部を閉止している蓋体に、上記上流側開閉弁と下流側開閉弁との間の弁室中央部内を外部に連通させている通気孔を穿設していることを特徴とする請求項１に記載の排水弁。
【発明の詳細な説明】
【技術分野】
【０００１】
本発明は、冷房装置などの空調機や冷凍冷蔵庫から流出するドレンを室外に排出するための排水管に接続して屋外から外気や臭気等が室内に入るのを防止する排水弁に関するものである。
【背景技術】
【０００２】
空調機や冷凍冷蔵庫から流出するドレンをドレンホース等の排水管を通じて室外に排出するように構成すると、排水管を通じて室内と屋外とが連通した状態となるため、室内の気密性が保持できなくなるばかりでなく、換気扇を作動させた場合には室内が負圧となって外気や臭気等が排水管を通じて室内に入り込み、室内環境を悪化させる虞れがある。
【０００３】
このため、例えば、特許文献１に記載されているように、屋外側に導出した排水管に接続して外気や臭気が排水管内に侵入するのを防止することができる排水弁が開発されている。この排水弁は、上端開口部を流入口に、下端開口部を流出口に形成している本体内に弁室となる空間部を設けていると共に、この空間部内に、上端を上記流入口に連通させ、下端を上記流出口に向かって斜め下向きに開口した小径筒部を設け、さらに、この斜め下向き開口部に対向した本体の周壁部に弁装着用開口部を設けて、この弁装着用開口部に上記斜め下向き開口部を開閉自在に閉止する舌片形状の弾性弁体を設けた蓋部材を着脱自在に取付けてなる構造を有する。
【０００４】
また、特許文献２には、排水管の適所に装着する排水用トラップであって、上端開口部を流入口に形成している本体の下端に、45度の角度でもって斜め下方に傾斜しているドレンの流出口となる斜め下向き開口部を設け、この開口部の上傾端部側に舌片形状の弁体の基部を回動自在に枢着すると共にこの枢着部から外側に突出した弁体の基端部に錘を取付けて該錘の重量により弁体を上記開口部の開口縁に着座させて開口部を開閉自在に閉止してなる構造の排水用トラップが記載されている。
【先行技術文献】
【特許文献】
【０００５】
【特許文献１】特開口２００６−３２２６３１号公報
【特許文献２】実公昭６３−２３４８９号公報
【発明の開示】
【発明が解決しようとする課題】
【０００６】
上記のような排水弁によれば、空調機や冷凍冷蔵庫を配設している室内において、換気扇を作動させても、その作動によって室内に発生する負圧が排水管を通じて上記弁体を弁座に積極的に座着させる吸引力として作用し、外気や臭気等が排水管を通じて室内に侵入するのを防止することができるが、空調機や冷凍冷蔵庫から排出されるドレンが排水管を通じて弁本体の弁室内に流下して一定量のドレンが弁体上に滞留し、そのドレンの重量によって弁体が下方に回動してドレンの流出口である斜め下向きに傾斜した開口部を開放してドレンを排出した際に、開口部の下方から臭気が外気と共に上記開放部分を通じて排水管内に侵入する虞れがある。
【０００７】
特に、上記の排水弁において、斜め下向きに傾斜した開口部の傾斜角度が45度と、大きく傾斜している場合には、基端枢着部から先端に向かって上記開口部と同一角度で傾斜している弁体上における先部側にドレンが集中的に滞留して弁体の基端部上面にまでドレンが滞留する前に、滞留したドレンの重量によって弁体が下方に開放して先端側からドレンを排出することになるので、弁体の基端部側にドレンの排出が行われない隙間が発生してその隙間を通じて臭気が侵入するといった事態が生じる。
【０００８】
このような問題点は、上記のように構成した排水弁を排水管の上流側と下流側との２個所に取付けておけば解消することができるが、取付作業に手間を要するばかりでなく、コスト高になるといった問題点があった。
【０００９】
また、上記前者の排水弁によれば、本体内に塵埃や異物等が溜まったり詰まったりした場合には、排水管から排水弁を取り外すことなく、本体の周壁部に設けている弁装着用開口部に装着した蓋部材を取り外すことによって弁体を外部に取り出すことができるので、本体内の塵埃や異物等を容易に洗い流すことができると共に弁体もきれいに水洗することができるが、弁体が蓋部材に一体に設けられている一方、弁座は本体内に設けられている斜め下向きに傾斜した開口部の口縁によって形成されているので、弁装着用開口部に対する蓋部材の取付態様によって弁座に対する弁本体の密着状態が変化し、弁座と弁本体との間に隙間が生じる虞れがあるといった問題点があった。
【００１０】
本発明はこのような問題点に鑑みてなされたもので、その目的とするところは、簡単な構造によって臭気の侵入を確実に防止することができると共にドレンの排出も円滑に行え，さらに、排水管から取り外すことなく、本体から弁体を弁座と一体的に取り外して本体内の清掃や弁体、弁座等の水洗が簡単且つ確実に行えると共に、水洗後においては弁体を弁座に所定の閉止力でもって座着させた状態で本体内に簡単に装着することができる排水弁を提供するにある。
【課題を解決するための手段】
【００１１】
上記目的を達成するために本発明の排水弁は、請求項１に記載したように、弁室を中央にして上下端部に該弁室に連通した流入口と流出口をそれぞれ設けてなる本体における上記弁室の前部に、開口端を着脱自在な蓋体によって閉止された縦長長方形の枠状開口部を設けていると共に、この枠状開口部を有する上記弁室の上端部と中間部とにおける両側内壁面に上側弁配設用溝と下側弁配設用溝とをそれぞれ設けて上側の弁配設用溝に上流側開閉弁を、下側の弁配設用溝に下流側開閉弁を取付けてあり、これらの上流側開閉弁と下流側開閉弁は、両側端部を上記弁配設用溝に挿脱自在に支持され、且つ、上記流入、流出口に連通する通水孔を有する仕切板部と、この仕切板部の上記通水孔の下面外周縁に上端を連設し、且つ、下端開口縁を上記枠状開口部側から弁室の後部に向かうに従って30度以下の緩やかな角度でもって下方に傾斜した弁座に形成している短筒状の通水口と、前端部を上記仕切板部の前部下面に上下回動自在に支持され、且つ、前端部から前方に突出した部分に設けている錘によって上方に付勢されて上記通水口の弁座に着座している板状の弁体とからなることを特徴とする。
【００１２】
このように構成した排水弁において、請求項２に係る発明は、上記上流側開閉弁と下流側開閉弁とにおける仕切板部の前端部下面両側部に、対向面に前端から後端に向かって斜め下方に傾斜し、且つ、前端が前方に開口していると共に後端が閉止している傾斜溝部を設けた一対の軸受片を突設している一方、弁体の前端に両側端部を上記一対の軸受片の対向する傾斜溝部に前端開口部から挿嵌させて傾斜溝部の後端部に係止させてなる軸部を設けていることを特徴とする。
【００１３】
さらに、請求項３に係る発明は、請求項２に記載の排水弁において、弁体の前端に設けた軸部の中心に貫通孔を設けている一方、両側軸受片の傾斜溝部の後端に該傾斜溝部から軸受片の外側面に貫通した係止孔を設けてあり、この両側係止孔に上記軸部の貫通孔に挿脱自在に挿入した小径軸の両側端部を係合させていることを特徴とする。
【００１４】
また、請求項４に係る発明は、上記上流側開閉弁と下流側開閉弁との仕切板部に設けた通水孔の上端外周縁部に一定高さの周壁部を全周に亘って突設していることを特徴とし、請求項５に係る発明は、弁室の枠状開口部を閉止している蓋体に、上記上流側開閉弁と下流側開閉弁との間の弁室中央部内を外部に連通させている通気孔を穿設していることを特徴とする。
【発明の効果】
【００１５】
請求項１に係る発明によれば、排水弁は上端にドレンの流入口を、下端にドレンの排出口を設けている一つの弁室内に上流側開閉弁と下流側開閉弁とを配設しているので、構造が簡単で安価に提供できるのは勿論、排水管の適所に１個の排水弁を接続するだけで、上下二つの開閉弁を配設することができて、取付作業が容易となる。
【００１６】
さらに、上記上流側開閉弁と下流側開閉弁構造とは、本体の上下端部に設けているドレンの流入、流出口に連通する通水孔を有する仕切板部と、この仕切板部における上記通水孔の下面外周縁に上端を連設し、且つ、下端開口縁を前方側から後方側に向かって斜め下方に緩傾斜させた弁座に形成している短筒状の通水口と、前端部を上記仕切板部の前部下面に上下回動自在に枢着され、且つ、前端部から前方に突出した部分に錘を設けてこの錘の重量により上方に付勢されて上記通水口の弁座に着座している板状の弁体とからなるので、ドレンが流入口から弁本体の弁室内に流下した際に、まず、上流側開閉弁の弁体上に滞留し、一定量のドレンが滞留してそのドレンの重量により弁体が開放しても、下流側開閉弁の弁体が閉止した状態を保持しているので、臭気が外気と共に上流側開閉弁を通過して上流側に侵入するのを確実に防止することができると共に、上流側開閉弁からドレンが下流側開閉弁上に排出された際に、今度は上流側開閉弁の弁体が閉止して下流側開閉弁が開放しても上流側開閉弁によって臭気が上流側に侵入するのを確実に防止することができる。
【００１７】
その上、上流側開閉弁と下流側開閉弁とにおける上記短筒状の通水口の下端開口縁を弁室の前部側から後部に向かうに従って30度以下の緩やかな角度でもって下方に傾斜した弁座に形成し、この弁座に弁体を着座させているので、重量の軽い錘を採用して少量のドレンが弁体の全面に亘って滞留した時に弁体を下方に開放するように構成することができ、従って、多量のドレンの排出によって上流側開閉弁と下流側開閉弁との弁体が開放しても臭気が外気と共に弁体を通過して上流側に侵入する虞れを殆どなくすることができる。さらに、開閉弁全体の高さが低くなるように形成することができ、弁室の長さを短くしてコンパクトな排水弁を提供することができる。
【００１８】
また、弁室を中央にして上下端部に該弁室に連通した流入口と流出口をそれぞれ設けてなる本体における上記弁室の前部に、開口端を着脱自在な蓋体によって閉止された縦長長方形の枠状開口部を設けていると共に、この枠状開口部を有する上記弁室の上端部と中間部とにおける両側内壁面に上記上流側開閉弁の配設用溝と下流側開閉弁の配設用溝とをそれぞれ設けているので、組立時において、これらの配設用溝に上流側開閉弁と下流側開閉弁とにおける上記仕切板をそれぞれ挿入することによって本体に設けている一つの弁室内にこれらの上流側開閉弁と下流側開閉弁とを簡単に配設することができると共に、長期の使用によって塵埃や異物等が付着した際に、排水管から本体を取り外すことなく蓋体を外して弁室内からこれらの上流側開閉弁と下流側開閉弁とを容易に取り出すことができ、本体内とこれらの上流側開閉弁と下流側開閉弁との水洗による清掃も円滑に行うことができる。
【００１９】
さらに、上流側及び下流側開閉弁には、弁体と弁座とが一体に設けられているので、これらの弁体と弁座とを同時に綺麗に清掃することができるのは勿論、常に、所定の開閉動作となるように組み合わせておくことができて、ドレンの漏出や臭気の侵入を生じさせることなく正確に開閉させることができる。
【００２０】
請求項２に係る発明によれば、上記上流側及び下流側の開閉弁における仕切板部の前端部下面両側部に、対向面に前端から後端に向かって斜め下方に傾斜し、且つ、前端が前方に開口していると共に後端が閉止している傾斜溝部を設けた一対の軸受片を突設している一方、弁体の前端に両側端部を上記一対の軸受片の対向する傾斜溝部に前端開口部から挿嵌させて傾斜溝部の後端部に係止させてなる軸部を設けているので、下端開口縁に弁座を設けているドレン通水口を有する仕切板部に対する上流側開閉弁や下流側開閉弁の取付け、取り外し作業が簡単に行え、水洗等による掃除時には分解して隅々まで綺麗に掃除が行えると共に、組立ても容易に且つ正確に行うことができる。
【００２１】
請求項３に係る発明によれば、上記弁体の前端に設けた軸部の中心に貫通孔を設けている一方、両側軸受片の傾斜溝部の後端に該傾斜溝部から軸受片の外側面に貫通した係止孔を設けてあり、この両側係止孔に上記軸部の貫通孔に挿脱自在に挿入した小径軸の両側端部を係合させているので、弁体を弁座の開閉位置に正確に且つ妄動させることなく装着しておくことができる。
【００２２】
請求項４に係る発明によれば、上記上流側開閉弁と下流側開閉弁との仕切板部に設けた通水孔の上端外周縁部に一定高さの周壁部を全周に亘って突設しているので、ドレンが仕切板部を支持している弁排水用溝側に漏出するのを確実に防止することができる。
【００２３】
請求項５に係る発明によれば、弁室の枠状開口部を閉止している上記蓋体に、上記上流側開閉弁と下流側開閉弁との間の弁室中央部内を外部に連通させている通気孔を穿設しているので、室内側に換気扇の作動等によって負圧が発生してその負圧が、例え、上記上流側開閉弁の下方の弁室内に作用しても、その負圧によって上記通気孔を通じて外気が上流側開閉弁と下流側開閉弁との間の弁室内に吸引されて下流側開閉弁に直接、上記負圧が作用するのを防止することができ、従って、下流側から臭気が上記上流側開閉弁と下流側開閉弁との間の弁室内に入り込むのを抑制することができる。
【図面の簡単な説明】
【００２４】
【図１】本発明排水弁の縦断側面図。
【図２】その斜視図。
【図３】本体内に上流側及び下流側の開閉弁を配設する前の状態を示す斜視図。
【図４】本体内に開閉弁を装着している状態を示す斜視図。
【図５】開閉弁の斜視図。
【図６】上流側開閉弁にドレンが滞留した状態の縦断側面図。
【図７】下流側開閉弁上にドレンを排出している状態の縦断側面図。
【図８】下流側開閉弁を開放してドレンを排出している状態の縦断側面図。
【発明を実施するための形態】
【００２５】
次に、本発明の具体的な実施の形態を図面について説明すると、図１〜図４において、本体１は透明ないしは半透明の硬質合成樹脂製であって、弁室２を中央にしてこの弁室２の上端に円筒状のドレン流入口３を、下端に該ドレン流入口３と同大、同形のドレン流出口４を一体に設けてなり、弁室２は後半部を上記流入、流出口３、４と同径の半円筒形状に形成していると共に前半部を該半円筒形状の後半部の前端から前方に向かって突設した正面視縦長長方形状の枠状開口部2aに形成してあり、この枠状開口部2aを該枠状開口部2aに着脱自在な蓋体５によって閉止している。この蓋体５の上部又は中央部に、上記上流側開閉弁と下流側開閉弁との間の弁室２の中央部内を外部に連通させている通気孔６を穿設している。
【００２６】
さらに、弁室２の対向する両側内壁面における上端部と長さ方向の中間部とに、後述する上流側開閉弁10と下流側開閉弁20とをそれぞれ配設するための左右一対の上側弁配設用溝７、７と下側弁配設用溝８、８をそれぞれ設けていると共に、これらの弁配設用溝７、７及び８、８の後端側は弁室２の半円筒形状の後半部の内周面に設けている平面半円状の溝部7a、8aにそれぞれ連続させている。なお、これらの弁配設用溝７、８は、水平状に設けられていてもよいが、図においては、前端から後端の半円状溝部7a、8aに向かって５度程度の緩やかな角度でもって傾斜させている。
【００２７】
上流側開閉弁10は、両側端部を上記上側弁配設用溝７、７に挿脱自在に支持させ、後端部を半円状溝部7aに挿脱自在に支持させるように形成している外周縁が平面Ｕ字形状の仕切板部11と、この仕切板部11における上記ドレン流入口３の直下に位置する後半部に該ドレン流通口３に連通するように穿設された通水孔12と、仕切板11の下面における通水孔12の開口下端の外周縁に上端を連設し、且つ、下端開口縁を上記弁室２の枠状開口部の後端側から弁室２の後端側に向かうに従って30度以下の緩やかな角度でもって下方に傾斜した弁座14に形成している短筒状の通水口13と、前端部を上記仕切板部11の前部下面における両側端部に下方に向かって突設した一対の軸受片15、15に上下回動自在に支持され、且つ、前端部から前方に突出した部分に錘16を設けてこの錘16の重量により上方に付勢されて上記弁座14に着座し、通水口13を閉止している板状の弁体17とから構成されている。
【００２８】
下流側開閉弁20は、上記上流側開閉弁10と同一構造を有し、両側端部を上記下側弁配設用溝８、８に挿脱自在に支持させ、後端部を半円状溝部7aに挿脱自在に支持させるように形成している外周縁が平面Ｕ字形状の仕切板部21と、上記上流側開閉弁10の通水口13の直下で、且つ、ドレン流出口４の直上に位置する該仕切板部21における後半部に、これらの通水口13及びドレン流出口４に同一軸線上で連通するように穿設された通水孔22と、仕切板21の下面における通水孔22の開口下端の外周縁に上端を連設し、且つ、下端開口縁を上記弁室２の枠状開口部の後端側から弁室２の後端側に向かうに従って30度以下の緩やかな角度でもって下方に傾斜した弁座24に形成している短筒状の通水口23と、前端部を上記仕切板部21の前部下面における両側端部に下方に向かって突設した一対の軸受片25、25に上下回動自在に支持され、且つ、前端部から前方に突出した部分に錘26を設けてこの錘26の重量により上方に付勢されて上記弁座24に着座し、通水口23を閉止している板状の弁体27とから構成されている。
【００２９】
上流側及び下流側の開閉弁10、20における上記仕切板部11、21の前部下面に突設した上記軸受片15、15及び25、25には、図５に示すように、その対向面に前端から後端に向かって斜め下方に傾斜し、且つ、前端が前方に向かって開口していると共に後端が閉止している傾斜溝部15a 、15a 及び25a 、25a をそれぞれ刻設している一方、上流側及び下流側の開閉弁10、20における上記弁体17、27の前端に、両側端部を上記傾斜溝部15a 、15a 及び25a 、25a にそれぞれ挿嵌してこれらの傾斜溝部15a 、15a 及び25a 、25a の後端部にそれぞれ回動自在に係止させている軸部17a 、27a を一体に設けてあり、従って、上流側及び下流側の開閉弁10、20における弁体17、27は、軸受片15、15、25、25に対してそれぞれの軸部17a 、27a を中心として上下方向に回動自在に枢着されている。
【００３０】
さらに、これらの軸部17a 、27a の中心部に貫通孔17b 、27b をそれぞれ設ける一方、一対の軸受片15、15、と25、25との傾斜溝部15a 、15a と25a 、25a の後端にこれらの傾斜溝部15a 、25a から外部に貫通した係止孔15b 、25b を穿設してあり、傾斜溝部15a 、25a の後端に上記軸部17a 、27a の両側端部を挿嵌、係止させた際に、その係止孔15b 、25b に貫通孔17b 、27b を連通させて、一方の係止孔15b 、25b から貫通孔17b 、27b に小径の軸17c 、27c を挿通してその先端部を他方の係止孔15b 、25b に嵌入、支持させることにより、弁体17、27を弁座14、24の開閉位置に正確に且つ妄動することなく回動自在に枢着しているが、このような軸17c 、27c を用いることなく、上記軸部17a 、27a の両側端部を軸受片15、25に設けている傾斜溝部15a 、25a の後端に回動自在に支持させておいてもよい。
【００３１】
また、上記錘16、26は、弁体17、27の前端両側部から前方に向かって斜め下方に傾斜したアーム片18、28をそれぞれ突設し、このアーム片18、28間に取り外し可能に連結した軸部材19、29にそれぞれ吊支されてあり、この錘16、26の重量を変更することによって弁体17、27の閉止力を調整可能に構成している。なお、上記軸部材19、29は筒部材からなり、その中心孔に小径軸19a 、29a を挿通してこの小径軸19a 、29a の両側端部をアーム片18、28に取外し自在に支持させるように構成しているが、このような小径軸19a 、29a を使用することなくアーム片18、28に錘16、26を着脱自在に装着できるように構成しておいてもよい。
【００３２】
上記上流側開閉弁10と下流側開閉弁20との仕切板部11、21に設けた通水孔12、22の上端外周縁部にこれらの通水孔12、22を囲繞する一定高さのリング状の周壁部11a 、21a を突設していると共に仕切りつた部11、21の上面外周縁部にも上記周壁部11a 、21a と同一高さの外側周壁部11b 、21b を突設してあり、これらの周壁部11a 、21a 及び外側周壁部11b 、21b の上端面をそれぞれ該上端面に対向する上記上側弁配設用溝７と下側弁配設用溝８の下方に向けている溝内壁面に摺動自在に密接させている。
【００３３】
上記のように、本体１と、本体１に設けている弁室２の枠状開口部2aを閉止する蓋体５及び上記上流側開閉弁10と下流側開閉弁20とは別体に形成されていると共に、これらの上流側及び下流側開閉弁10、20を構成している弁座側と弁体側も別体に形成されてあり、上流側及び下流側の開閉弁10、20における通水口12、22を有する仕切板部11、21に弁体17、27を上記のようにして取付けると共に弁体17、27に錘16、26を取付けて上流側及び下流側の開閉弁10、20を組立てたのち、これらの上流側開閉弁10と下流側開閉弁20を図３、図４に示すように、弁室２の枠状開口部2aを通じて、本体１の弁室２の設けている上側弁配設用溝７と下側弁配設用溝８にその仕切板部11、21をそれぞれ挿入することによって収納、配設し、しかるのち、枠状開口部2aに蓋体５を装着して排水弁の組立てを完了する。
【００３４】
このように構成した排水弁は室内から屋外に導出されて建物の外壁面に沿って垂設している排水管Ａの下端に、図６に示すようにその本体１の上端部に設けているドレン流入口３を接続し、必要に応じて、この本体１の下端部に設けているドレン流出口４に排水枡等に臨ませる排水管A'を接続する。なお、排水管Ａの上端部は室内に配設している空調機や冷凍冷蔵庫のドレン排出口に接続されている。
【００３５】
このような使用状態において、空調機や冷凍冷蔵庫の作動によって発生したドレンは、排水管Ａを通じて屋外に排出されると、この排水管Ａ内を流下して排水弁本体１のドレン流入口３を通じて弁室２の上部内に配設されている上流側開閉弁10の通水孔12から通水口13内に流下し、弁体17上に滞留する。
【００３６】
弁体17は、軸受片15、15によって上下方向に回動自在に枢着された前端側から後端に向かって30度以下の緩やかな角度でもって傾斜しているので、少量のドレンによってこの弁体17の上面全面が図６に示すように水面下になると共に、その状態で通水口13内に一定の高さまでドレンが滞留した時に、該弁体17が錘16の重量に抗して下方に開口するように錘16の重量を設定しているので、弁体17が下方に開弁すると弁体17と弁座14との間の開放した隙間部全体からドレンが下方に排出され、図７に示すように、弁室２内の中間部に配設されている下流側開閉弁20の通水孔22から通水口23内を流下して下側の弁体27上に滞留する。
【００３７】
この下側弁体27においても、該弁体27の上面全面にドレンが一定の高さに達するまで滞留すると開放するように構成されてあり、その開放によってドレンがこの下側弁体27から流出口４を通じて外部に排出される。
【００３８】
排水管Ａを通じて多量のドレンが本体１内に導入された場合には、上記上流側開閉弁10の弁体17と下流側開閉弁20の弁体27とを共に開弁した状態を維持しながら流出口４を通じてドレンを外部に排出するが、少量のドレンガ排水管Ａ側から排出された場合には、上側の弁体17が開放して一定量のドレンが下側の弁体27上に排出された時に図８に示すように上側の弁体17が閉じる一方、下側の弁体27上に一定量、滞留したドレンによって該下側弁体27が開放してこの下側弁体27から流出口４を通じてドレンが外部に排出される。いずれのドレン排出状態においても、臭気が外気と共に流出口４内に侵入しても、上記上流側及び下流側の開閉弁10、20によって上流側の配管Ａ内に入るのを阻止することができる。
【００３９】
さらに、室内側に換気扇等の作動によって負圧が発生してその負圧が排水管Ａを通じて排水弁本体１のドレン流入口３側に作用し、上流側開閉弁10の弁体17と弁座14との小さな隙間等を通じて上流側開閉弁10と下流側開閉弁20との間の弁室中央部内にその負圧による吸気力が発生しても、弁室２の枠状開口部2aを閉止している上記蓋体５に上記弁室中央部内を外部に連通させている通気孔６を穿設しているので、上記吸気力によって外気がこの通気孔６を通じて弁室中央部内に吸い込まれて下流側開閉弁20に直接、上記負圧が作用するのを防止することができ、従って、下流側から臭気が上記上流側開閉弁10と下流側開閉弁20との間の弁室２内に入り込むのを抑制することができる。
【００４０】
また、長期の使用によって排水弁は、ドレンに混入している塵埃や異物により内部が汚損されたり塵埃や異物が弁体17、27等に付着して円滑な作動が行えなくなった場合には、排水管Ａから排水弁の本体１を取り外すことなく、弁室２の枠状開口部2aを密閉している蓋体５を取り外すことによって弁室２内から上流側及び下流側の開閉弁10、20を取り出し、これらの開閉弁10、20に付着している異物等の水洗等による除去や掃除を行うことができると共に枠状開口部2a内を通じて本体１内を水洗等によって清掃することができる。
【符号の説明】
【００４１】
１  本体
２  弁室
2a  枠状開口部
３  ドレン流入口
４  ドレン流出口
５  蓋体
６  通気孔
７  上側弁配設用溝
８  下側弁配設用溝
10、20  開閉弁
11、21  仕切板部
12、22  通水孔
13、23  通水口
14、24  弁座
15、25  軸受片
16、26  錘
17、27  弁体
【図１】
2014105500.tif 000003
【図２】
2014105500.tif 000004
【図３】
2014105500.tif 000005
【図４】
2014105500.tif 000006
【図５】
2014105500.tif 000007
【図６】
2014105500.tif 000008
【図７】
2014105500.tif 000009
【図８】
2014105500.tif 000010